【手続補正書】
【提出日】平成17年6月7日(2005.6.7)
【手続補正１】
【補正対象書類名】特許請求の範囲
【補正対象項目名】全文
【補正方法】変更
【補正の内容】
【特許請求の範囲】
【請求項１】
ユーザが選択可能な複数の機能を示す機能リストをディスプレイするためのディスプレイ手段と、
前記ディスプレイ手段にディスプレイされた機能リストから機能を選択する選択手段と、
ディジタルドキュメントにアタッチされた使用権に基づいて前記選択手段により選択された機能のディジタルドキュメントに対する実行を拒絶することが決定された場合、該拒絶することを前記ディスプレイ手段に表示させ、ディジタルドキュメントにアタッチされた使用権に基づいて前記機能のディジタルドキュメントに対する実行を許諾することが決定された場合、該機能を実行するコントローラモジュールと、
を備えた可搬格納デバイスであって、
ディジタルドキュメントが内容ファイル及び記述ファイルを含むファイル情報であって、前記内容ファイルは前記記述ファイルから独立して格納され、前記ディジタルドキュメントは前記記述ファイルを介して１つ以上の前記使用権をアタッチされ、該使用権は前記記述ファイルに含まれ、該使用権は、前記ディジタルドキュメントの使用可能な回数を含む使用条件または配給条件を規定する情報であり、さらに該使用権は前記ディジタルドキュメントの使用もしくは配給にかかわる許諾に使用される情報であり、
前記機能リストが示す前記複数の機能は、前記ディジタルドキュメントをコピーすること、移動すること、再生すること、及び削除することを含み、ユーザが前記機能を選択することにより所望のディジタルドキュメントをどのように使用するかを選択可能であって、該機能の各々が使用権に規定されてあることによって該使用権がアタッチされているディジタルドキュメントに対応している、
可搬格納デバイス。
【請求項２】
リポジトリ中に格納されたディジタルドキュメントに可搬格納デバイスからアクセスするための方法であって、該リポジトリ中に格納された該ディジタルドキュメントは内容ファイル及び記述ファイルを含むファイル情報であって、前記内容ファイルは前記記述ファイルから独立して格納され、前記記述ファイルは前記可搬格納デバイスに格納可能であって、前記ディジタルドキュメントは前記記述ファイルを介して１つ以上の使用権をアタッチされ、該使用権は前記記述ファイルに含まれ、該使用権は、前記ディジタルドキュメントの使用可能な回数を含む使用条件または配給条件を規定する情報であり、さらに該使用権は前記ディジタルドキュメントの使用もしくは配給にかかわる許諾に使用される情報であり、前記可搬格納デバイスが、ディスプレイを含み、前記方法が、
ａ）ユーザが前記可搬格納デバイスを前記リポジトリに連結すること、
ｂ）前記リポジトリにおいて格納されたディジタルドキュメントをアクセスするために、前記可搬格納デバイスの前記ディスプレイ上に機能リストをディスプレイすることを含み、該機能リストは前記ディジタルドキュメントをコピーすること、移動すること、再生すること、及び削除することを含む複数の機能を示してユーザが所望のディジタルドキュメントをどのように使用するかを選択可能な前記リポジトリと前記ユーザとの間のインターフェースであって、該機能が使用権に規定されてあることによって該使用権がアタッチされているディジタルドキュメントに対応し、
ｃ）ユーザが前記ディスプレイされた機能リストから機能を選択すること、
ｄ）前記リポジトリの内容のリストを前記可搬格納デバイスの前記ディスプレイ上にディスプレイすること、
ｅ）前記ユーザが前記リポジトリの内容のリストから所望のディジタルドキュメントを選択すること、
ｆ）前記所望のディジタルドキュメントが前記選択された機能に対応する使用権を有するかどうかを前記リポジトリが決定すること、
ｇ）前記所望のディジタルドキュメントが前記選択された機能に対応する前記使用権をアタッチされている場合に、前記リポジトリが前記ディジタルドキュメントへのアクセスを許諾すること、及び
ｈ）前記所望のディジタルドキュメントが前記選択された機能に対応する前記使用権をアタッチされていない場合に、前記リポジトリが前記ディジタルドキュメントへのアクセスを拒否すること、
を含む、リポジトリ中に格納されたディジタルドキュメントに可搬格納デバイスからアクセスするための方法。
【手続補正２】
【補正対象書類名】明細書
【補正対象項目名】０００７
【補正方法】変更
【補正の内容】
【０００７】
本願請求項１に記載の発明は、ユーザが選択可能な複数の機能を示す機能リストをディスプレイするためのディスプレイ手段と、前記ディスプレイ手段にディスプレイされた機能リストから機能を選択する選択手段と、ディジタルドキュメントにアタッチされた使用権に基づいて前記選択手段により選択された機能のディジタルドキュメントに対する実行を拒絶することが決定された場合、該拒絶することを前記ディスプレイ手段に表示させ、ディジタルドキュメントにアタッチされた使用権に基づいて前記機能のディジタルドキュメントに対する実行を許諾することが決定された場合、該機能を実行するコントローラモジュールと、を備えた可搬格納デバイスであって、ディジタルドキュメントが内容ファイル及び記述ファイルを含むファイル情報であって、前記内容ファイルは前記記述ファイルから独立して格納され、前記ディジタルドキュメントは前記記述ファイルを介して１つ以上の前記使用権をアタッチされ、該使用権は前記記述ファイルに含まれ、該使用権は、前記ディジタルドキュメントの使用可能な回数を含む使用条件または配給条件を規定する情報であり、さらに該使用権は前記ディジタルドキュメントの使用もしくは配給にかかわる許諾に使用される情報であり、前記機能リストが示す前記複数の機能は、前記ディジタルドキュメントをコピーすること、移動すること、再生すること、及び削除することを含み、ユーザが前記機能を選択することにより所望のディジタルドキュメントをどのように使用するかを選択可能であって、該機能の各々が使用権に規定されてあることによって該使用権がアタッチされているディジタルドキュメントに対応している、可搬格納デバイスである。
本願請求項２に記載の発明は、リポジトリ中に格納されたディジタルドキュメントに可搬格納デバイスからアクセスするための方法であって、該リポジトリ中に格納された該ディジタルドキュメントは内容ファイル及び記述ファイルを含むファイル情報であって、前記内容ファイルは前記記述ファイルから独立して格納され、前記記述ファイルは前記可搬格納デバイスに格納可能であって、前記ディジタルドキュメントは前記記述ファイルを介して１つ以上の使用権をアタッチされ、該使用権は前記記述ファイルに含まれ、該使用権は、前記ディジタルドキュメントの使用可能な回数を含む使用条件または配給条件を規定する情報であり、さらに該使用権は前記ディジタルドキュメントの使用もしくは配給にかかわる許諾に使用される情報であり、前記可搬格納デバイスが、ディスプレイを含み、前記方法が、ａ）ユーザが前記可搬格納デバイスを前記リポジトリに連結すること、ｂ）前記リポジトリにおいて格納されたディジタルドキュメントをアクセスするために、前記可搬格納デバイスの前記ディスプレイ上に機能リストをディスプレイすることを含み、該機能リストは前記ディジタルドキュメントをコピーすること、移動すること、再生すること、及び削除することを含む複数の機能を示してユーザが所望のディジタルドキュメントをどのように使用するかを選択可能な前記リポジトリと前記ユーザとの間のインターフェースであって、該機能が使用権に規定されてあることによって該使用権がアタッチされているディジタルドキュメントに対応し、ｃ）ユーザが前記ディスプレイされた機能リストから機能を選択すること、ｄ）前記リポジトリの内容のリストを前記可搬格納デバイスの前記ディスプレイ上にディスプレイすること、ｅ）前記ユーザが前記リポジトリの内容のリストから所望のディジタルドキュメントを選択すること、ｆ）前記所望のディジタルドキュメントが前記選択された機能に対応する使用権を有するかどうかを前記リポジトリが決定すること、ｇ）前記所望のディジタルドキュメントが前記選択された機能に対応する前記使用権をアタッチされている場合に、前記リポジトリが前記ディジタルドキュメントへのアクセスを許諾すること、及びｈ）前記所望のディジタルドキュメントが前記選択された機能に対応する前記使用権をアタッチされていない場合に、前記リポジトリが前記ディジタルドキュメントへのアクセスを拒否すること、を含む、リポジトリ中に格納されたディジタルドキュメントに可搬格納デバイスからアクセスするための方法である。
ドキュメントカード（以後ＤｏｃｕＣａｒｄと称する）を開示する。ＤｏｃｕＣａｒｄは、その内容を見ることができ、コンピュータベースシステムから独立して管理されることの可能な格納媒体の機能を実行する。本発明の好適な実施の形態において、ＤｏｃｕＣａｒｄは、情報をディジタルフォームで格納する不揮発性格納手段と、ユーザにより開始された機能及び要求を処理して、中に格納されたドキュメントをアクセスするための制御プロセッサと、ディジタル情報を読み書きするために外部デバイスへインタフェースする入出力（Ｉ／Ｏ）ポートと、ユーザをＤｏｃｕＣａｒｄと直接対話させるユーザインタフェースと、を有する可搬ユニットである。該ユーザインタフェースは、機能及びドキュメントのリストをユーザにトラバース（方向移動）させる複数のトラバーサルキーと、ハイライト（強調表示）機能又はドキュメントをユーザに選択させる選択キーと、ユーザの発生させた機能を処理する処理手段と、機能及びドキュメントのリストとユーザの発生させた機能に応答した情報とをディスプレイするディスプレイと、を含む。